(57)【要約】【課題】  洗浄ノズル内で回転する吐水体の公転周波数と洗浄水の流量を独立して制御することを可能にする吐水装置を提供する。【解決手段】  洗浄水が流入する旋回室と、旋回室の周面に沿って洗浄水を供給する第一給水部と、旋回室の上端に設けられた開口部と、一端部が前記開口部側に配置され、内部には旋回室に供給された洗浄水を一端部側から吐水可能とする吐水流路が形成された吐水体と、吐水体を把持する可撓性の把持体とをノズルに備え、第一給水部から供給された洗浄水の運動エネルギーにより吐水体が旋回室内で傾斜した姿勢で首振り運動する吐水装置において、吐水体の首振り運動に寄与しないように旋回室に洗浄室を給水する第二給水部を有することにより、吐水体が首振り運動を発生させる為に必要な洗浄流量を第一給水部に供給し、その他の洗浄流量を首振り運動に付与しない第二給水部に供給するように分配する。【選択図】  図３
2008008084.tif 000002
【特許請求の範囲】
【請求項１】
ノズルを備え、給水された洗浄水を前記ノズルから吐出する吐水装置であって、前記ノズルは、洗浄水が流入する旋回室と、前記旋回室の周面に沿って洗浄水を供給する第一給水部と、前記旋回室の上端に設けられた開口部と、一端部が前記開口部側に配置され、しかも内部には前記旋回室に供給された洗浄水を一端部側から吐水可能とする吐水流路が形成された吐水体と、前記吐水体を把持する可撓性の把持体とを備え、前記第一給水部から供給された洗浄水の運動エネルギーにより前記吐水体が前記旋回室内で傾斜した姿勢で首振り運動する吐水装置において、前記吐水体の首振り運動に寄与しないように前記旋回室に洗浄水を給水する第二給水部を有することを特徴とする吐水装置。
【請求項２】
請求項１記載の吐水装置において、前記第一給水部と前記第二給水部の流量比率を調整する流量調整部を有することを特徴とする吐水装置。
【請求項３】
請求項１記載の吐水装置において、前記第一給水部と前記第二給水部は前記旋回室の異なる高さ位置に設けたことを特徴とした吐水装置。
【発明の詳細な説明】
【技術分野】
【０００１】
本発明は、吐水装置に関し、詳しくは給水された洗浄水を所定の吐水口から吐水する衛生洗浄装置の洗浄ノズルとして好適に利用できる吐水装置に関する。
【背景技術】
【０００２】
従来の吐水装置たとえば人体の局部を洗浄する人体衛生洗浄装置は、人体局部に対して吐水口から人体に吐水し、洗浄水で汚れを落とす。洗浄水の水勢は調整可能となっており、使用者は水勢を上げて、汚れをすばやく落としたり、刺激のある強い洗浄感の吐水によって洗浄を行うことができる。また、水勢を下げて、やわらかい感触の吐水で洗浄を行うこともでき、このように水勢を変えることによって好みの吐水を選択することができる。
【０００３】
また、なかには洗浄水に脈動を負荷して吐水させ、洗浄力を高め、かつ脈動を与えず吐水させた場合よりも使用する水量を減らして節水する、さらには、節水により水を温めるのに用いる熱量を節約して省エネを実現する人体洗浄装置がある。この場合、使用者は少ない流量でありながら強い水流での洗浄を欲する場合があった。こうした要求に適った吐水を実現するには、小流量の洗浄水をその流速を高めて通水する必要があり、例えば脈動用の電磁ポンプを使用するため、コスト的に高くなるという問題があった。
【０００４】
また、電気的な駆動を用いないで吐水位置を周期的に変更させる吐水装置も知られている。洗浄ノズル内に、洗浄水が流入する旋回室と、その旋回室の周面に沿って洗浄水が供給される給水部と、旋回室の上端に設けられた開口部と、一端部がこの開口部側に配置されて内部には旋回室に供給された洗浄水を一端部側から吐水可能とする吐水流路が形成された吐水体と、前記吐水体を把持する可撓性の把持体が備えられ、給水部へ供給された洗浄水の運動エネルギーとこの運動エネルギーにより生じる揚力および遠心力によって吐水体が旋回室内で傾斜した姿勢で首振り運動をおこない、洗浄水を一箇所に集中させることなく、ある程度の範囲にわたって洗浄水を吐出し、少ない洗浄水量で洗浄感の洗浄強さや洗浄広さを確保した洗浄を行う洗浄ノズルがある。（例えば、特許文献１参照。）
【０００５】
この場合は、例えば、刺激のある強い洗浄感を使用者が求め、洗浄流量を増やしたときに同時に首振り運動の周期（以下公転周波数）も早くなってしまい、洗浄流量を増大させたにも関わらず人体における着水時間が短くなることで皮膚の変形量が十分でなくなり、使用者が欲する十分な洗浄感を得られることができないといった問題があった。
【特許文献１】特開２００３−１７６５６０号
【発明の開示】
【発明が解決しようとする課題】
【０００６】
今までの吐水装置、例えば上記構造を有する洗浄ノズルにおいて、使用者の欲する洗浄感を達成させる為に以下のような調整をしていた。
使用者が刺激のある強い洗浄感を欲する場合は、設定された最大水勢時に前記洗浄感を達成させるために、首振り運動の周期（以下公転周波数）を低速に設定する。たとえば、設定水勢に対する公転周波数を１００Hz以下程度に設定すると刺激のある洗浄強さを達成することが実験の結果分かっている。この場合は、公転周波数を調整する手段としては、前記吐水体に付与する運動エネルギーを前記給水部の面積を大きくし前記旋回室に流入する洗浄水の流速を遅くすることや、前記吐水体の比重を大きくすることで、該運動エネルギーによって生じる揚力および遠心力を大きくするなどして公転周波数を調整していた。
【０００７】
しかしながら、公転周波数は、設定された水勢流量と前記吐水体の比重や運動エネルギーを発生させる前記給水部の形状と洗浄流量に依存しており、一義的に決定されるため洗浄流量と公転周波数を独立して制御することができないという問題があった。
【０００８】
たとえば、公転周波数と洗浄強さの関係を示した図８（ａ）、衛生洗浄装置の設定流量と公転周波数の関係を示した図８（ｂ）を使用して以下に説明する。
公転周波数と洗浄強さの関係は、図８（ａ）に示すとおり公転周波数が高い場合は洗浄強さが低下し（弱く）、小さい場合は洗浄強さは増加（強く）する関係が分かっている。また、設定流量と公転周波数の関係は、図８（ｂ）に示すとおり、設定流量が多くなると、公転周波数は高くなる関係が分かっている。
【０００９】
使用者の要望にあわせた水勢と洗浄感の設定を考えた場合、洗浄流量が最大のときに公転周波数が最小になり、洗浄流量が最小のときに公転周波数が最小になることが望まれる。しかし、従来のものは、図８（ａ）、（ｂ）の関係から分かるように設定流量が最小時に公転周波数が最小に、最大時に公転周波数が最大になっているため、洗浄感の適正値を使用することができないでいた。
【００１０】
また、前記公転周波数の調整手段（例えば前記吐水体の比重）で最大設定流量で狙いの公転周波数を設定した場合は、最小設定流量で運動エネルギーが不足して、安定した首振り運動を確保できず、一箇所を集中的に洗浄してしまうという課題も発生していた。
【００１１】
本発明は上記問題を解決するためになされたもので、公転周波数と洗浄水の流量が独立して制御することを可能にする吐水装置を提供することにある。
【課題を解決するための手段】
【００１２】
上記目的を達成するために請求項１の発明によれば、ノズルを備え、給水された洗浄水を前記ノズルから吐出する吐水装置であって、前記ノズルは、洗浄水が流入する旋回室と、前記旋回室の周面に沿って洗浄水を供給する第一給水部と、前記旋回室の上端に設けられた開口部と、一端部が前記開口部側に配置され、しかも内部には前記旋回室に供給された洗浄水を一端部側から吐水可能とする吐水流路が形成された吐水体と、前記吐水体を把持する可撓性の把持体とを備え、前記第一給水部から供給された洗浄水の運動エネルギーにより前記吐水体が前記旋回室内で傾斜した姿勢で首振り運動する吐水装置において、前記吐水体の首振り運動に寄与しないように前記旋回室に洗浄室を給水する第二給水部を有するにより、給水された洗浄水が前記第一給水部と第二給水部に分配された状態で供給され、前記吐水体が首振り運動を発生させる為に必要な洗浄流量を第一給水部に供給し、その他の洗浄流量を首振り運動に付与しない第二給水部に供給するように調整することにより、首振り運動の周期（以下公転周波数）を、洗浄流量とは独立に制御することを可能とした。
【００１３】
また、前記第一給水部と前記第二給水部の流量比率を調整する流量調整部を有することにより、前記第一給水部と前記第二給水部の流量比率を調整する流量調整部を有することにより、前記第一給水口と前記第二給水口の流量比を調整することで、前記公転周波数を洗浄流量とは独立して設定することを可能とした。
【００１４】
また、前記第一給水部と前記第二給水部は前記旋回室の異なる高さ位置に設けたことにより、前記第一給水部で発生した、前記吐水体を首振り運動させる前記旋回室の円周に沿って発生する流れに干渉しない流れを形成させることを可能にした。
【発明の効果】
【００１５】
本発明によれば、洗浄流量と前記公転周波数を独立させることにより、使用者が刺激のある強い洗浄感を欲し、洗浄流量を増加させたときに公転周波数も同時に上昇させることなく、（各水勢設定時に対する最適な）公転周波数設定を行うことで最大水勢時の刺激ある強い洗浄感を達成することが可能になり、また、従来の吐水装置で公転周波数の調整手段として行っていた前記吐水体の比重を小さくしたり前記第一給水部の断面積をより小さくするなどで、低水勢の公転周波数を大きくして、洗浄感ややわらかくかつ量感のある洗浄感を達成させながらも上記手段で、最大水勢時の刺激ある強い洗浄感を達成することが可能になるという効果が得られる。
【００１６】
また、本発明により、ある一定洗浄流量における洗浄感を可変することが可能のため、各水勢変化をもたせる為の流量調整用手段が不要になり、かつ洗浄水を温水化するための熱交換器の制御が容易になるため省スペース、低コスト化を達成することができる等の効果もある。
【発明を実施するための最良の形態】
【００１７】
次に本発明に係る吐水装置、人体衛生洗浄装置の実施形態を実施例に基づき説明する。図１は、本発明の吐水装置を備えた人体衛生洗浄装置３００を便器に設置した際の斜視図を示す。使用者は洗浄ノズルから吐水された洗浄水で洗浄を行い、その際図中に示すリモコン操作部７にて人体洗浄装置３００の操作を行う。図２は本実施例の局部洗浄装置３００の概略構成を表すブロック図である。
【００１８】
図２に示すように、局部洗浄装置３００は、外部の給水源側から順に、給水ユニット３０２と熱交換ユニット３０４と流調弁３０６と洗浄ノズル３０８を設ける。洗浄ノズル３０８は、ノズル駆動モータ３１０により、装置本体内の待機位置とお尻又はビデの各洗浄位置との間を進退するよう構成されている。
【００１９】
流調弁３０６は洗浄ノズル３０８の後端部に接続されている。洗浄ノズル３０８の後端部内には流路・流量比切替機構７１が組み込まれている。この流路・流量比切替機構７１はノズル端部と一体として装着されている。また、洗浄ノズル３０８の先端部にはノズルヘッド２００が装着されており、このノズルヘッド２００にはお尻洗浄用吐水孔３１、ビデ洗浄用吐水孔３３が形成されている。
【００２０】
局部洗浄装置３００は、流調弁３０６で流量調整された洗浄水を、流路・流量比切替機構７１を介して洗浄ノズル３０８に送り込み、お尻洗浄用吐水孔３１やビデ洗浄用吐水孔３３から吐水する。
【００２１】
図２に示すように、局部洗浄装置３００は電子制御装置３１２を備える。電子制御装置３１２は、リモコン操作部７に設けたお尻洗浄ボタン９１やビデ洗浄ボタン９３、流量比調整ボタン（図２におけるリモコン７の上側の△、▽）、人体洗浄装置の洗浄流量を調整する水勢ボタン（図２におけるリモコン７の下側の△、▽）、給水ユニット３０２、熱交換ユニット３０４、流調弁３０６、洗浄ノズル３０８、ノズル駆動モータ３１０のそれぞれと、電気信号の送受信が可能に接続されている。
【００２２】
電子制御装置３１２は、上記の各操作ボタンの操作に応じて、洗浄ノズル３０８の進退駆動、洗浄水の給水並びに止水、洗浄水の温水化、洗浄水の水勢調整、洗浄強さを調整する流量比切替調整等の制御を行う。
【００２３】
給水源（水道管）から送られた洗浄水（水道水）は、給水ユニット３０２に導かれ、このユニット３０２の有するストレーナでのごみ等の捕捉を経て、下流の熱交換ユニット３０４に至る。なお、給水ユニット３０２は、その管路に図示しない逆止弁、調圧のための調圧弁並びに管路開閉のための電磁弁を備える。よって、電磁弁による回路開放時に、洗浄水は、調圧弁により所定圧力に調圧された状態で、瞬間加熱方式の熱交換ユニット３０４に流入する。なお、給水ユニット３０２から熱交換ユニット３０４に至る間の管路には、リリーフ弁（図示省略）が配設されており、管路内圧力の不用意な上昇の回避が図られている。
【００２４】
熱交換ユニット３０４は、内蔵ヒータへの通電を介して通過する洗浄水を瞬間的に温水化するよう構成されている。なお、内蔵ヒータまたはその近傍に、その異常加熱を防止する図示しないバイメタルスイッチや温度ヒューズが装着されている。また、空焚き防止のためのフロートスイッチや、洗浄ノズル側からの洗浄水逆流を防止するためのバキュームブレーカが設置されている。
【００２５】
この場合、熱交換ユニット３０４は、流入・流出洗浄水の温度を図示しない水温センサで検出しつつ、内蔵ヒータで洗浄水を設定温度の洗浄水に温水化する。そして、このようにして温水化された洗浄水は、流調弁３０６により所定の流量に流量調整を受けた上で、流路・流量比切替機構７１を介して洗浄ノズル３０８に送られる。
【００２６】
次に洗浄ノズル３０８の構成について図３乃至図４を用いて説明する。図３の（ａ）は非通水時のノズルヘッド２００の断面図、図３の（ｂ）は通水時のノズルヘッド２００の断面図、図４の（ａ）と（ｂ）は図３のＡ−Ａ断面図である。
【００２７】
洗浄ノズル１に洗浄水が供給されると、ノズルヘッド２００内の通水路６２、旋回室流入路６３、旋回室６４における下部旋回室６４ａの順に通過する。
【００２８】
旋回室流入路６３は通水路６２より通水断面積が小さく構成されており、かつ旋回室６４の中心に対して偏芯して洗浄水が供給されるように構成している。
【００２９】
又、ノズルヘッド２００内には上記通水路６２とは異なる洗浄水流路が形成されている。ノズルヘッド２００内の通水路８２においては、供給された洗浄水を旋回室６４における上部旋回室６４ｂに供給するための開口部８４が、開口部８４を有する部材９１に通水路８２の断面積をより大きな開口として１つ以上形成されており、その開口部８４から上部旋回室６４ｂに供給される。開口部８４は、後述する吐水体７０の給水口７３に相対し、開口部８４と吐水体７０の受力部７２とは位置関係に違いを持たせている。このため、開口部８４からの洗浄水は、吐水体７０に、後述する首振り運動を起こさせる運動エネルギーを付与しない。
なお、ここで、通水路６２が「第一給水部」に、通水路８２が「第二給水部」に該当する。
【００３０】
旋回室６４内部には吐水体７０が設けられており、この吐水体７０は洗浄水が給水される給水口７３と連通して洗浄水を噴射吐水する吐水口７１、下部旋回室６４ａ中の洗浄水より流れのエネルギーを受ける受力部７２により構成されている。吐水体７０の側面に開設された給水口７３と、吐水体７０の上面に開設された吐水口７１とは、吐水流路で連通している。
【００３１】
中央に貫通孔７５ａを有する抜止部材７５を旋回室６４ｂの上部に洗浄ノズル６１と一体に設け、抜止部材７５は旋回部材７０の受力部７２が旋回室６４ｂ内の中心軸に対して傾斜公転可能になる様に貫通孔７５ａで旋回部材７０の上方を支持している。
【００３２】
従って、旋回室流入路６３から旋回室６４内部に洗浄水が供給されて洗浄水が旋回室６４内部で旋回することで発生する遠心力と洗浄水の運動エネルギーを吐水体７０の受力部７２が受け、吐水体７０が旋回室６４中心軸に対して傾斜して公転運動（首振り運動）する構成になっており、また、旋回流入路８４からは前記遠心力と運動エネルギーに付与しない給水がなされる。
【００３３】
以上の構成で吐水された洗浄水の軌跡について図５を用いて説明すると、吐水体７０が、旋回室６４中心軸まわりの公転運動をおこないながら、洗浄水を噴射吐水することで、吐水された洗浄水の軌跡は螺旋を描きながら円錐状に拡大吐水される。
【００３４】
ここで、洗浄水の公転運動を行ないながら洗浄水を噴射吐水することで得られる洗浄軌跡の周期を公転周波数と定義付け、公転周波数と吐水形態に関して説明する。
【００３５】
図６（ａ）、図６（ｂ）、図６（ｃ）は流量一定の条件で、公転周波数を調整して皮膚（手の平）に向けて洗浄水を吐水させ、皮膚の変形状態を確認した実験結果である。図６（ａ）は公転周波数を３０Hzとした場合、図６（ｂ）は公転周波数を８０Hzとした場合、図６（ｃ）は公転周波数を１００Hzとした場合である。この実験から、公転周波数が低い場合は皮膚の変形が大きく、早い場合は変形が小さいことが確認できた。これは、公転周波数が高いと着水部の皮膚の変形が発生する前に吐水が移動してしまい、皮膚の変形が起こらず、公転周波数が低いと十分な皮膚変形が発生することがわかる。
【００３６】
なお、被験者へのヒアリングによれば、公転周波数を低くした方が洗浄感に強さが増し、公転周波数が高い場合は洗浄感が減少する傾向が確認された。これは、上記に示すように皮膚の変形の大小が洗浄感に起因しているためと考えられる。
【００３７】
次に、本発明における給水流量と公転周波数の関係を図７に示す。ノズル３０８に供給される流量Ｑの洗浄水が分配されて、通水路６２に供給される流量をＱ１、通水路８２に供給される流量をＱ２とし、それぞれの通水路に供給する流量および流量比を調整した場合、公転周波数に寄与する通水路６２からの供給水の流量と公転周波数は比例関係があり、たとえば低水勢の洗浄流量Ｑａでは公転周波数はｆａ、高水勢の洗浄流量Ｑｂではｆｂの公転周波数となる。また、運動エネルギーを形成する、通水路６２に連結されている旋回流入路６３の断面積を小さくすることで旋回流入部に供給された洗浄水の流速が早くなる為、公転運動を支配する運動エネルギーが大きくなり、同じ流量であっても公転周波数をｆｃ、ｆｄに高めることが可能である。また、通水路６２に供給される流量Ｑ１の流量をＱａとすることで公転周波数をｆｃを確保することが可能であることが分かっている為、高水勢時Ｑｂでｆｅの公転周波数を得ようとした場合は、通水路８２が供給する流量Ｑ２はＱ２＝Ｑｂ−Ｑａとすることで良い。
【００３８】
また、図７に示した洗浄流量は後述する流調弁によって所定の流量に調整されているが、本発明の構成を有することによって、流量一定の条件においても通水路６２と通水路８２に供給される流量比を後述する流路流量比切替機構７２を使用して流路と流量比を制御するだけでも同様の結果が得られることができる。
【００３９】
流路流量比切替機構７２は、上述したように洗浄ノズル１の通水路６２と通水路８２に洗浄水を給水し、通水路６２と通水路８２に対しては両経路に対し同時に給水可能であり、その給水の際には各経路ごとの流量Ｑ１、Ｑ２の流量比を調整するよう構成されている。
【００４０】
図９に示すように流路流量比切替機構７１はノズル側から、ノズル内の各経路と連通した連通孔を有するステータ２ａと、流路切換のために回転しステータ２ａの各連通孔を選択的に開放するロータ２ｂと、このロータ２ｂに回転を伝達するためのカップリング２ｄと、ロータ２ｂをステータ２ａに向けて付勢するスプリング２ｃとを有する。
【００４１】
図１０は、流路流量比切替機構７１を、ステータ２ａの下側（ロータ２ｂに接しない側）から覗いて、各連通孔の開放状態を示す図である。ステータ２ａでは図１０（ａ）に示すように、矢印Ｌ方向に順に洗浄ノズル１内の通水路６２に連通する第一の連通孔２ｆ、通水路８２に連通する第二の連通孔２ｇ、ビデ経路２０７に連通する第三の連通孔２ｈが開口している。
【００４２】
ロータ２ｂは、図１０（ｂ）に示すように、ステータ２ａに開口した上記各連通孔２ｆ、２ｇ、２ｈを選択的に開放できる切欠２ｉを有し、この切欠２ｉを連通孔２ｆ、２ｇ、２ｈの開口と重ねることでその連通孔２ｆ、２ｇ、２ｈを開放する。切欠２ｉは第一の連通孔２ｆと第二の連通孔２ｇ双方に重なり合わせて連通した状態にすることができ、また同時に第一の連通孔２ｆ、第二の連通孔２ｇとは重なり合わせずに、第三の連通孔２ｈとのみ連通することの出来る幅を持っている。
【００４３】
このようなステータ２ａとロータ２ｂの構造においては、ステータ２ａに対しロータ２ｂを矢印Ｒ方向に回転させロータ２ｂの切欠２ｉと、第一の連通孔２ｆと第二の連通孔２ｇの開口との重なり具合を連続的に変化させたときに、第一の連通孔２ｆの開口の開放される面積が大きくなり、逆に第二の連通孔２ｇの開口の開放される面積が小さくなる。この時、通水路６２への給水流量Ｑ１が増加し、通水路８２への給水流量Ｑ２が減少する。一方ロータ２ｂを矢印Ｌ方向に回転させた時には第一の連通孔２ｆの開口の開放される面積が小さくなりそれに伴い第二の連通孔２ｇの開口の開放される面積が大きくなる。
【００４４】
この時、通水路６２への給水流量Ｑ１が減少し、通水路８２への給水流量Ｑ２が増加する。これによって通水路６２と通水路８２への給水流量Ｑ１、Ｑ２を連続的に調整することが可能となる。具体的には図１０（ｃ）に示すように切欠２ｉの中心を、第一の連通孔２ｆと第二の連通孔２ｇのちょうど中間に位置する状態を回転角０°とすると、第一の連通孔２ｆと第二の連通孔２ｇの形状が同じである場合は、図１０（ｄ）のように、ステータ２ａに対しロータ２ｂを矢印Ｒ方向に回転させた場合、第一の連通孔２ｆの開放される面積が大きくなり同時に第二の連通孔２ｇの開放される面積が小さくなるため通水路６２への給水流量を増加させ、通水路８２への給水流量を減少させることができる。なお、図上黒塗りしている部分が、連通孔２ｆ、２ｇ、２ｈと切欠２ｉが連通している部位である。図１０（ｅ）のようにステータ２ａに対しロータ２ｂを矢印Ｌ方向に回転させた場合、逆に通水路６２への給水流量が減少し、通水路８２への給水流量が増加する。
【００４５】
また、ロータ２ｂは、図１０（ｆ）のように自身が有する切欠のすべてをステータ２ａの有する連通孔のどれとも重なり合わない状態にすることができ、これによりノズルへの洗浄水の給水を止めることもできる。
【００４６】
なお、ノズル内に残存した水の排出（水抜き）の便のため、このロータ２ｂを図１０（ｇ）に示すように総ての連通孔開口と重なることもできる切欠２ｊを有するようにして、水抜き時には図１０（ｈ）のように切欠２ｉと２ｊにより総ての連通孔２ｆ、２ｇ、２ｈを開口させることもできる。
【００４７】
図９に示すようにカップリング２ｄは流路流量比切替機構７１の有する駆動モータ２ｅの回転軸に装着され、スリット２ｌに回転軸ピン２ｋを位置させる。また、このカップリング２ｄは回転キー２ｍをロータ２ｂのスリット２ｎに係合させている。よって駆動モータ２ｅが正逆回転すると、その回転は回転軸ピン２ｋにてカップリング２ｄに、また回転キー２ｍにてロータ２ｂに伝達される。そして、ロータ２ｂの回転により切欠２ｉが上記したように各連通孔２ｆ、２ｇ、２ｈを選択的に開放し、ノズルの各経路へ送り込む洗浄水の流量を調整する。すなわち、電子制御装置６は駆動モータ２ｅの回転を制御し、上記のようにノズルの各経路へ送り込まれる洗浄水の流量比が調整される。
【００４８】
上述した流路流量比切替機構７１と流量調整弁３０６を使用することで、所定の流量に対する流量比を制御することが可能になり、通水路６２には所望の公転周波数を確保する為に必要な給水を行い公転周波数を給水流量とは独立して制御することを可能にした。
【図面の簡単な説明】
【００４９】
【図１】人体衛生洗浄装置３００を便器に設置した際の斜視図である。
【図２】人体衛生洗浄装置３００の概略構成図を表すブロック図である。
【図３】実施例のノズル装置３０８に設置されたノズルヘッド２００の縦断面図で、（ａ）は無通水状態で（ｂ）は通水状態での断面図である。
【図４】実施例のノズル装置３０８に設置されたノズルヘッド２００の断面図に示されたＡ−Ａ断面図である。
【図５】実施例における吐水形態を示す図である。
【図６】公転周波数と皮膚の変形状態を調査した実験結果を示す。（ａ）は公転周波数３０Hz、（ｂ）は公転周波数８０Hz、（ｃ）は公転周波数１８０Hzの吐水時における皮膚変形状態を示す図である。
【図７】実施例における洗浄水の流量と公転周波数の関係を示す図である。
【図８】（ａ）は従来の吐水装置における公転周波数と洗浄流量の関係を示す図、（ｂ）は公転周波数と洗浄流量の関係を示す図である。
【図９】流路流量比切替機構の分解概略斜視図を示す。
【図１０】流路流量比切替機構７１を、ステータ２ａの下側（ロータ２ｂに接しない側）から覗いて、各連通孔の開放状態を示す図である。
【符号の説明】
【００５０】
１  ノズル
６２  第一給水部
６４  旋回室
６４ａ  上部旋回室
６４ｂ  下部旋回室
７０  吐水体
７１  流路・流量比切替機構（流量調整部）
７２  把持体
８２  第二給水部
８４  開口部
【図１】
2008008084.tif 000003
【図２】
2008008084.tif 000004
【図３】
2008008084.tif 000005
【図４】
2008008084.tif 000006
【図５】
2008008084.tif 000007
【図６】
2008008084.tif 000008
【図７】
2008008084.tif 000009
【図８】
2008008084.tif 000010
【図９】
2008008084.tif 000011
【図１０】
2008008084.tif 000012